(57)【要約】【課題】  構造が簡単で大型化せず、保温温度までの降温時間を効率良く短縮できるようにする。【解決手段】  器体１内に収容した内容器３内の内容液を加熱源１１により加熱して湯沸しや保温を行い、使用に供し、内容液の沸騰後保温へ移行する際に内容液を、ファン１４を利用して冷却し、降温を早めるのに、器体１内の内容器３の底部下にファン１４を設け、器体１外の空気を内容器３まわりに吸引した後、内容器３の底部５０下に集めて器体１の底部５１から排気することにより、上記の目的を達成する。【選択図】  図１
2005319112.tif 000002
【特許請求の範囲】
【請求項１】
器体内に収容した内容器内の内容液を加熱源により加熱して湯沸しや保温を行い、使用に供し、内容液の沸騰後保温へ移行する際に内容液を、ファンを利用して冷却し、降温を早める電気ポットにおいて、
器体内の内容器の底部下にファンを設け、器体外の空気を内容器まわりに吸引した後、内容器底部下に集めて器体の底部から排気することを特徴とする電気ポット。
【請求項２】
器体内に収容した内容器内の内容液を内容器の底部下の加熱源により加熱して湯沸しや保温を行い、使用に供し、内容液の沸騰後保温へ移行する際に内容液を、ファンを利用して冷却し、降温を早める電気ポットにおいて、
器体内前記加熱源の下にファンを設け、器体外の空気を器体の側面から内容器まわりに吸引した後、加熱源下に集めて器体の底部から排気することを特徴とする電気ポット。
【請求項３】
器体の底部下から器体を定置した定置面に沿って排気を吹き出す吹き出し部を設けた請求項１、２のいずれか１項に記載の電気ポット。
【請求項４】
吸気は器体の側面下部から行い、器体の外装ケースに沿って立ち上がって後、内容器外面に沿って内容器下のファンに至る迂回路を通過する請求項３に記載の電気ポット。
【請求項５】
迂回路は器体の底部から立ち上がる外装ケースと内容器との間の隔壁で形成する請求項４に記載の電気ポット。
【請求項６】
器体の肩部にも吸気口を有している請求項１〜５のいずれか1項に記載の電気ポット。
【発明の詳細な説明】
【技術分野】
【０００１】
本発明は、器体内に収容した内容器内の内容液をヒータや誘導加熱コイルなどの加熱源により加熱して湯沸しや保温を行い、使用に供する電気ポットに関するものである。
【背景技術】
【０００２】
電気ポットはその用途が飲食に関係するところから、ほとんど例外なく殺菌やカルキ成分除去などを意図した沸騰は一旦行われる。しかし、用途の多様化から、ほとんど沸騰後と変わりない高温状態での即時使用ができる９８℃程度での高温保温、そのままでも熱湯として使用できるが、再沸騰させて使用するにも時間が余り掛からない９０℃や８５℃程度での通常保温、また、低温玉露などの抽出や赤ちゃんのミルク溶きに適した６０℃程度での低温保温など必要とされる各種温度を選択した保温が行われるようになっている（例えば、特許文献１参照。）。
【０００３】
これらの選択に従い電気ポットは、内容液が沸騰すると加熱源による加熱を停止し、内容液が選択された保温温度まで降温した後、その保温温度を維持して使用に供しながら、再沸騰操作があったり、継ぎ足しによる急な降温があると沸騰動作を行って後、保温モードに移行することを繰り返す。
【０００４】
しかし、沸騰後の内容液を設定した保温温度まで自然に降温させると時間がかかる。例えば、９８℃までの降温には３０分掛かり、６０℃までの降温には約５時間掛かるとされる（例えば、特許文献２参照。）。そこで、これら保温温度までの降温時間を短縮するのにファンを用いた冷却が行われている（例えば、特許文献１、２参照）。
【０００５】
特許文献１に記載のものは、加熱コイルを高周波駆動するスイッチング素子であるＩＧＢＴ素子をヒートシンクによって放熱を図るのに、ポットの器体の外装ケースと内容器との胴部間に前記ヒートシンクおよびファンを、ファンがヒートシンクに対し内容器側になるように配置し、加熱コイルが内容器を加熱している間ファンによりヒートシンクに風を当てる基本構成を有し、沸騰後加熱コイルによる加熱が一旦中断して降温を図り保温に移行する際に、ファンを逆回転させてファンからの風を内容器に当てることにより保温温度への降温時間を短縮している。
【０００６】
特許文献２に記載のものは、外回りにフィンを持った循環路に内容液をポンプにて循環させることにより降温時間を短縮させるようにしており、フィン部に送風機からの送風を行うことで降温をさらに早めるようにもしている。いずれも器体の外装ケースと内容器との間に配置されている。
【特許文献１】特開２００３−２８４６４２号公報
【特許文献１】特開２００３−２３５７３１号公報
【発明の開示】
【発明が解決しようとする課題】
【０００７】
しかし、特許文献１に記載のものは、ファンが内容器とヒートシンクとの間に位置しているので、器体の胴まわりが大きくなる。また、ファンからの風を内容器に当てて内容液を冷却するときはヒートシンクを通過した後の風になるが、直前まで加熱コイルを駆動していたことによりヒートシンクは常温にまでは降温していない分だけ外気を昇温させた風を内容器に当てることになるので、冷却効率はまだ低い。
【０００８】
特許文献２に記載のものは、フィンを持った循環路と循環ポンプとに加え、ファンを備えれば高い冷却効率が得られる。しかし、ファン以外にフィンを持った循環路および循環ポンプが器体の外装ケースと内容器との間に必要で胴部まわりが大きくなるし、構造が複雑で高価なものとなる。
【０００９】
本発明の目的は、構造が簡単で大型化せず、保温温度までの降温時間を効率良く短縮できる電気ポットを提供することにある。
【課題を解決するための手段】
【００１０】
上記の目的を達成するために、本発明の電気ポットは、器体内に収容した内容器内の内容液を加熱源により加熱して湯沸しや保温を行い、使用に供し、内容液の沸騰後保温へ移行する際に内容液を、ファンを利用して冷却し、降温を早める電気ポットにおいて、器体内の内容器の底部下にファンを設け、器体外の空気を内容器まわりに吸引した後、内容器底部下に集めて器体の底部から排気することを１つの特徴としている。
【００１１】
このような構成では、ファンが内容器の底部下に位置して器体の胴部まわりのかさ張りを増大させることはなく、従って、器体の外装ケースと内容器との間の従来程度に狭い間隔内に外気を吸引して内容器の外周面に接触させやすくすると共に、その接触させる吸引外気を内容器の底部下のファンに集中する流れを作って内容器の外面を舐めるようにしてその底部下に至らせられ、また、ファンを経て器体の底部から排気することにより前記内容器の外面を舐めるような吸引外気の流れを乱さないので、冷却効率が高まる。
【００１２】
本発明の電気ポットは、また、器体内に収容した内容器内の内容液を内容器の底部下の加熱源により加熱して湯沸しや保温を行い、使用に供し、内容液の沸騰後保温へ移行する際に内容液を、ファンを利用して冷却し、降温を早める電気ポットにおいて、器体内前記加熱源の下にファンを設け、器体外の空気を器体の側面から内容器まわりに吸引した後、加熱源下に集めて器体の底部から排気することを別の特徴としている。
【００１３】
このような構成では、前記１つの特徴の場合に加え、さらに、内容器の底部下に加熱源が位置し、その下に冷却ファンがあるので、前記内容器の外周面から底部の下に外面を舐めるようにして至るファンへの吸引外気は内容器下の加熱源にも排気直前に有効に働かせられる。
【００１４】
器体の底部下から器体を定置した定置面に沿って排気を吹き出す吹き出し部を設けた、さらなる構成では、
器体の底部からの排気が吹き出し部を通じて器体の定置面に沿ってスムーズに行える。
【００１５】
吸気は器体の側面下部から行い、器体の外装ケースに沿って立ち上がって後、内容器外面に沿って内容器下のファンに至る迂回路を通過する、さらなる構成では、
吸気が器体の外装ケースの側面下部にて行われて、器体の口部まわりからの水気が吸気部に及び難くすることができる。また、ファンおよび吸気部が器体の下部に位置するが、吸気部からの吸引外気は迂回路を通じ外装ケースの内側を一旦立ち上がって後、内容器外面に沿ってその下のファンに至るので、内容器の外面をより高い位置から舐めるようにして内容器下に至らせられる。
【００１６】
迂回路は器体の底部から立ち上がる外装ケースと内容器との間の隔壁で形成する、さらなる構成では、
迂回路を難なく形成できるし、隔壁は器体の底部に一体成形することができ部品点数が増大する原因にはならない。
【００１７】
器体の肩部にも吸気口を有している、さらなる構成では、
器体の肩部は内容器に対しより高い位置にあって、そこからの吸引外気は内容器のより高い部分から接触して接触域がさらに増大する。
【００１８】
本発明のそれ以上の目的および特徴は、以下の詳細な説明で明らかになる。本発明の各特徴は、可能な限りそれ単独で、あるいは種々な組合せで複合して採用することができる。
【発明の効果】
【００１９】
本発明の電気ポットの、１つの特徴によれば、ファンを設けるだけの簡単かつ安価な構造で、特に増大することのない器体の胴部をなす外装ケースと内容器との間に外気を吸引して内容器の外周面に接触しながら、内容器の底部下のファンに集中して排気される内容器の外面を舐めるような流れによって効率よく冷却し保温温度への早期降温が図れる。
【００２０】
本発明の電気ポットの、別の特徴によれば、前記１つの特徴の場合に加え、さらに、内容器の外周面から底部の下に外面に至るファンへの吸引外気は加熱源にも排気直前に効率よく働いて降温を図り内容液の降温への影響を早期になくせるので、冷却性能がさらに高まる。
【００２１】
器体の底部下から器体を定置した定置面に沿って排気を吹き出す吹き出し部を設けた、さらなる構成によれば、器体の底部からの排気がつまり無くスムーズに行え排気不良で冷却効率が低下することはない。
【００２２】
吸気は器体の側面下部から行い、器体の外装ケースに沿って立ち上がって後、内容器外面に沿って内容器下のファンに至る迂回路を通過する、さらなる構成によれば、器体の口部まわりからの水気が吸気部に及び難く侵入を防止しやすいし、吸引外気を内容器の外面のより高い位置から接触させて冷却効率をさらに増大させられる。
【００２３】
迂回路は器体の底部から立ち上がる外装ケースと内容器との間の隔壁で形成する、さらなる構成によれば、迂回路を難なく形成し、また、隔壁は器体の底部に一体形成でき、コスト上昇を抑えられる。
【００２４】
器体の肩部にも吸気口を有している、さらなる構成によれば、吸引外気を内容器のより高い部分から接触させる分冷却効率をさらに向上させられる。
【発明を実施するための最良の形態】
【００２５】
以下、本発明の実施の形態について図１〜図１０を参照しながら詳細に説明し、本発明の理解に供する。なお、以下の説明は本発明の具体例であって、特許請求の範囲を限定するものではない。
【００２６】
本実施の形態は、家庭用の電気ポットの場合の一例であり、図１〜図５に示す例、図６〜図８に示す例、図９に示す例、図１０に示す例のいずれも、ステンレス鋼製の一重容器を特別な断熱構造なしに合成樹脂製の外装ケース５に内容器３として収容した器体１を持ち、図１（ａ）、図６、図９、図１０に示すようにヒータ１１を加熱源として内容液を加熱し湯沸しや保温を行い、使用に供するものである。ステンレス鋼は曲げ剛性、強度が十分であり、しかも防錆効果を持ち、Ｃｕを含有するなどで抗菌性をも発揮させやすいので、飲食用の電気ポットにおける内容器には好適である。内容液は図１（ａ）、図６で代表して示すように電動ポンプ１２によって、管路タイプの吐出路１３を通じ外部に吐出して給湯し使用に供する構成を有している。しかし、本発明はこれに限定されることはなく、加熱源に電磁誘導で加熱する加熱コイルを採用することもできる。また、内容液の吐出は電動ポンプに代えて、あるいはそれと共にベローズポンプなどの手動ポンプを用いるようにすることもできる。
【００２７】
内容器３はステンレス鋼製で金属の中で熱伝導性が低いことにより、特別な断熱構造を持たない一重容器であっても合成樹脂製の外装ケース５と協働して器体１全体である程度の保温効率を確保しながら、特別な断熱構造を持たない一重容器であることによって、内容液を沸騰させた後ファン１４を利用して冷却するのに効率がよく、沸騰後の内容液を設定され、または選択された保温温度まで短時間に降温させて早期使用を図るのに好適である。しかし、これに限られることはない。
【００２８】
本実施の形態の電気ポットの具体的な構造について、その全体構成を示す図１（ａ）、図６で代表して説明すると、内容器３と外装ケース５とはその上端部間を合成樹脂製の肩部材１５により連結し、器体１を構成している。この連結は例えば、外装ケース５の上端に上方から印籠嵌めなどして嵌め合せた肩部材１５により内容器３の上端の外フランジを下方より受け止め、この状態の内容器３の底部と外装ケース５の底部とを図示しない金具で連結して互いを引き付けることにより分離可能に一体化することができる。もっとも、肩部材１５は外装ケース５に無理嵌めし、内容器３は肩部材１５にねじ止めするといったこともできる。また、外装ケース５の底部を別部材にすることもできる。
【００２９】
肩部材１５は内容器３および外装ケース５との連結により、内容器３の開口３ａに通じる器体１の開口１ａを形成しており、肩部材１５の後部にヒンジピン１６により蓋１７を着脱および回動できるように支持して、前記開口１ａ、３ａを同時に開閉するようにしている。特に開口３ａに対しては蓋１７の内側に設けた金属製の内蓋１８が対向し、蓋１７と内蓋１８との外周部間に挟持したシールパッキン１１９を開口３ａの全周に密着させて閉じるようにしている。この状態で蓋１７には内蓋１８に設けた蒸気流入口１９ａから蓋１７の上面に設けた蒸気流出口１９ｂに通じる蒸気通路１９が、転倒時に流入することがある内容液をストレートに通さずに途中に溜めたり、またはおよび、迂回させたりして蒸気流出口１９ｂに至るのを遅らせる形態、経路を持って形成してある。蒸気通路１９の蒸気流入口１９ａの側には転倒時止水弁１９ｃが設けられ、器体１が転倒したとき内容液が蒸気通路１９に流入するのを防止する。
【００３０】
また、蓋１７の前部には蓋１７が閉じられたとき、器体１の側、具体的には肩部材１５の一部に形成された穴などによる係止部２１にばね２３の付勢によって係合して蓋１７を閉じ状態にロックするロック部材２２、およびこのロック部材２２によるロックを解除するロック解除部材２５が設けられている。ロック解除部材２５は軸２４で枢支され、前端２５ａを手の親指などで下動させると軸２４を中心に反時計まわりに回動してロック部材２２をばね２３に抗して後退させ、蓋１７の閉じ状態へのロックを解除し、そのとき上動した後端２５ｂを手の人差し指などで持ち上げることによりロックを解除している蓋１７を引き上げ開くことができる。
【００３１】
さらに、ヒンジピン１６は蓋１７の側に固定され、肩部材１５に形成した器体１の前方側が開放したコ字型のピン受２６内にストッパ２７をばね２８に抗して下方へ押し退けながら挿入すると、挿入後のストッパ２７のばね２８による上動復帰によってピン受２６の開放部が閉ざされるので、蓋１７を開閉できるように枢支する状態となる。ストッパ２７は器体１の後方に臨出した操作片２７ａを有し、この操作片２７ａにてストッパ２７をばね２８に抗して下動させるとピン受２６が開放されるのでヒンジピン１６のピン受２６からの引き出しを伴い蓋１７を器体１から取り外すことができる。これにより蓋１７は丸洗いできる。
【００３２】
電動ポンプ１２は遠心ポンプであって、吐出路１３の内容液が流入する途中位置、特に内容器３の底部よりも下部となる途中位置に設けられ、回転駆動されることにより電動ポンプ１２内に流入してくる内容液を吐出路１３の器体１外に臨む吐出口１３ａに向け送り出して吐出させ、使用に供する。吐出路１３の途中にも転倒時止水弁３１、前傾時止水弁３２が設けられ、本例ではさらに吐出路１３を送り出される内容液の流量の違いに応じて回転しそれを検出する流量センサ３３が設けられている。
【００３３】
ヒータ１１は内容器３の底部下面に上向きの凸部をなして形成した凹部３ｂ内に位置し、内容器３の底部下に金具で取付けられた遮熱板３４との間に設けたばね部材３５の押圧を受けて内容器３の底部下面に圧着させられている。吐出路１３はこの凹部３ｂが形成する上向きに凸の天面部に接続されて、この天面高さ以下の内容液を吐出しないようにして残量を確保し、空焚き防止策としている。また、この天面の中央部にされに上に凸をなして形成される中央凹部３ｂ１には温度センサ３６を当てがい、内容液温度を検出するようにしている。これにより、内容液が前記天面まで下がると内容器３の中央凹部３ｂ１は他の範囲に先んじて内容液から露出して急昇温し、これが温度センサ３６により検出されることで残量が吐出できない程度にまで少なくなったことを判定できるようにしている。
【００３４】
吐出路１３の転倒時止水弁３１、前傾時止水弁３２が設けられている部分から吐出口１３ａまでは１つの吐出口側ブロック１３ｂをなし、器体１の外装ケース５および肩部材１５が形成する器体１の前部に向け嘴状に突出する突出部３７内に位置させられ、この突出部３７の器体１の胴部から離れた先端部位置で吐出口１３ａが下向きに開口し、突出部３７の上面に操作パネル３８が設けられている。操作パネル３８には図１（ｂ）に示すように例えば保温温度９８℃、９０℃、６０℃をロータリー式に選択する保温選択キー４１、電動ポンプ１２を働かせて内容液を吐出し給湯する給湯キー４２、その他の操作キー、各種表示部が設けられている。操作パネル３８の内側には図１（ａ）に示すような制御基板４０が設けられ、この制御基板４０には操作パネル３８での各種キーの操作に応動する図示しないスイッチ、これらスイッチからの入力、温度センサ３６、流量センサ３３からの入力に応じて、ヒータ１１、電動ポンプ１２、およびファン１４を図１（ｂ）に示すドライバ４３〜４５を介して駆動制御するマイクロコンピュータ４６、操作パネル３８の各種表示部に対応した液晶表示具、表示ランプなどが搭載され、必要に応じ外部に聴覚報知を行うブザー４７なども搭載されている。
【００３５】
マイクロコンピュータ４６は電源オン時、および保温中の継ぎ足しによる内容液の所定温度以下への降温時に内容液を沸騰させる初期沸騰において、内容液が沸騰時点ないしはそれに見合う湯沸し終了時点から、ファン１４を働かせて内容器３への送風により内容液を冷却し、初期設定され、あるいは選択された所定の保温温度までの早期降温を図って後、ファン１４を停止して前記所定の保温温度に保つ保温動作に移行する。しかし、保温温度が９８℃の高温保温は高温蒸気の発生を見ないが沸騰温度に近い状態に保つもので、高温蒸気の発生がなければよい面もあり、高温指向を優先する場合はファン１４を利用した強制降温の操作を省略することもできる。
【００３６】
本実施の形態では特に、図１〜図５に示す例、図６〜図８に示す例、図９に示す例、図１０に示す例のように、器体１内の内容器３の底部５０下にファン１４を設け、器体１外の空気を吸気口６０を通じ内容器３まわりに図１（ａ）、図６、吸引した後、内容器３の底部下に集めて器体１の底部５１から排気するようにしている。このようなファン１４は内容器３の底部下に位置して器体１の胴部まわりのかさ張りを増大させることはなく、従って、器体１の外装ケース５と内容器との間の従来程度に狭い間隔Ｓ内に外気を吸引して内容器３の外周面に接触させやすくすると共に、その接触させる吸引外気５３を内容器３の底部５０下のファン１４に集中する流れを作って内容器３の外面を舐めるようにしてその底部５０下に至らせられる。また、集中してくる吸引外気５３はファン１４を経て器体１の底部５１から排気することにより前記内容器３の外面を舐めるような吸引外気５３の流れを排気流５４を乱さないので、冷却効率が高まる。従って、ファン１４を設けるだけの簡単かつ安価な構造で、特に増大することのない器体１の胴部をなす外装ケース５と内容器３との間に外気を吸引して内容器３の外周面やヒータ１１に接触してそれらを冷却しながら、内容器３の底部５０下のファン１４に集中して排気される内容器３の外面を舐めるような吸引外気５３の流れによって内容液を効率よく冷却し所定の保温温度への早期降温が図れる。
【００３７】
また、吸気口６０は器体１の側面の下部に設けてあり、器体１の開口１ａまわりからの水気が及びにくいし、器体１の後部にあるので前部の吐出口１３ａまわりの水気はさらに及びにくくなる。しかも、ファン１４による吸引力は内容器３まわりの上部まで及ぶので、そこに負圧ができる分だけ吸気口６０からの吸引外気５３が及びやすくなるので、吸気口６０の高さ以上の領域から吸引外気５３を内容器３の外面に沿わせて内容液の冷却に十分貢献させられる。
【００３８】
さらには、前記加熱源としてのヒータ１１は内容器３の底部５０の下にあり、このヒータ１１の下にファン１４を設け、器体１外の空気を器体１の側面から内容器３まわりに吸引した後、ヒータ１１の下に集めて器体１の底部５１から排気するようにしている。これにより、上記に加え、さらに、内容器３の底部５０下にヒータ１１が位置し、その下に冷却ファン１４があるので、内容器３の外周面から底部５０の下に外面を舐めるようにして至るファン１４への吸引外気５３は内容器３下のヒータ１１にも排気直前に有効に働かせられる。つまり、ヒータ１１の冷却による吸引外気５３の昇温は内容器３および内容液の冷却には一切不利にならない。従って、内容器３の外周面から底部５０の下に外面を舐めるようにして至るファン１４への吸引外気５３はヒータ１１にも効率良く働いて降温させ内容液の降温への影響を早期になくせるので、冷却性能がさらに高まる。
【００３９】
また、吸引外気５３をファン１４によって器体１の底部５１から排気するのに、器体１の下部５１下から器体１を定置した定置面５５に沿って排気流５４を吹き出す吹き出し部５６を設けてある。これにより、器体１の底部５１からの排気流５４が吹き出し部５６を通じて器体１の定置面５５に沿ってスムーズに吹き出させられる。従って、器体１の底部５１からの排気がつまり無くスムーズに行え排気不良で冷却効率が低下することはない。
【００４０】
吹き出し部５６は特に、図１（ａ）、図２、図４、図６、図８〜図１０に示すように、外装ケース５が形成する器体１の底部５１に下向きの凹部６１をなした上向きの凸部６２を形成して、この凸部６２に排気口６３を形成してその上にファン１４を設置すると共に、前記凹部６１を左右両側に開放する状態の吹き出し口６４を凹部６１の周壁を器体１の底部５１の下面からの窪みとして形成している。これにより、ファン１４からの器体１の下部へ排気される排気流５４は排気口６３から器体１の定置面５５に閉じられた凹部６１内に一旦排出されて定置面５５の案内を受け、吹き出し口６４から定置面５５に沿って左右へ吹き出し外部へスムーズに排出され、本発明者等の実験ではこのような凹部６１を設けないでファンを設け排気する場合に比し６０℃程度への冷却時間は数十分程度も短縮する。しかも、器体１の底部５１における図３に示すような突出部３７のある前部および電源接続口６５のある後部を避けた左右の方向に、しかも、吹き出し口６４の器体１の底部５１の側面への開放幅に規制された範囲で吹き出されることになり、排気流５４が使用者や電源接続口６５に及ぶことはない。
【００４１】
なお、吹き出し口６４は器体１の底部５１における定置面５５から浮き上がる凹部形態をなしていることにより、定置面５５の定置した器体１の底部５１と定置面５５との間に手を入れる隙間を形成する。そこで、この隙間に手を入れて器体１を定置面５５から持ち上げ、またはおよび、そのまま持ち運ぶ手掛け部として利用することができる。
【００４２】
また、ファン１４は図２、図８に具体例を示しているように、垂直軸まわりに捻り羽根１４ａを有した軸流ファンであって、扁平形態をなし、図１（ａ）、図２、図６、図８〜図１０に示すように駆動モータ１４ｂを含め内容器３の底部５０下へ上下にかさ低く設置でき、駆動モータ１４ｂを取り付けた矩形のケース７２に収容して設けてある。器体１内への設置は、外装ケース５の底部５１に設けた前記凸部６２の天井部開口７３に一体形成したカバー６２ａと、凸部６２の天井部開口７３に下側から当てがって着脱できるように装着した底蓋７４との間で挟み付けて保持するようにし、この底蓋７４に排気口６３を形成している。底蓋７４は図１（ａ）で代表して示しているように、外周部に複数形成した係合爪７４ａを凸部６２の周壁に形成した係合穴６２ｂに一方向から嵌め合わせた状態で、１本のねじ７５により凸部６２の天井部にねじ止めし、係合爪７４ａの係合穴６２ｂからの抜け止めすることにより取り付けてあり、ねじ７５によるねじ止めを解くことによって係合爪７４ａを係合穴６２ｂから抜き出し底蓋７４を取り外せるようにしている。これらによって、ファン１４は底蓋７４の１本のねじ７５による取り付けに伴い、他の構造や作業なしに同時に取り付けられる。
【００４３】
ここで、図１〜図５に示す例についてさらに説明すると、内容器３の外面、特に吸引外気５３との接触が図られる下半部の外面に、図１（ａ）、図５に示すようにアルミニウム層７１を設けてある。このアルミニウム層７１はアルミニウムシートやテープ、箔を貼り合わせてもよいし、メッキ層としてもよい。これにより、本発明者等の実験によると、アルミニウム層７１を設けない場合よりも６０℃程度への冷却時間は１０分程度以上短縮した。しかし、吸引外気５３のない状態では内容器３まわりの雰囲気温度が、内容液温度およびヒータ１１からの熱の影響で比較的高く保たれるため、保温効率が特に低下することはない。
【００４４】
図６〜図８に示す例について詳述すると、吸気は図１〜図５の例と同じく器体１の側面下部の後ろ側に設けた吸気口６０から行うが、器体１内に吸気した吸引外気５３が器体１の外装ケース５に沿って立ち上がって後、内容器３外面に沿って内容器３下のファン１４に至る迂回路８１を通過するようにしてある。これにより、吸気が器体１の外装ケース５の側面下部後ろ側にて行われて、器体１の開口１ａまわりおよび前部の吐出口１３ａからの水気が吸気部である吸気口６０に及び難くすることができる。また、ファン１４および吸気口６０が共に器体１の下部に位置するが、吸気口６０からの吸引外気５３は迂回路８１を通じ外装ケース５の内側を一旦立ち上がって後、内容器３の外面に沿ってその下のファン１４に至るので、内容器３の外面をより高い位置から舐めるようにして内容器３下に至らせられる。これにより、器体１の開口１ａまわりおよび吐出口１３ａからの水気が吸気口６０に及び難く侵入を防止しやすい上に、吸引外気５３を内容器３の外面のより高い位置から接触させて冷却効率をさらに増大させられる。
【００４５】
このような迂回路８１は、器体１の底部５１、より具体的には前記凸部６２の部分から立ち上がる外装ケース５と内容器３との間の隔壁８２で形成している。これにより、隔壁８２は器体１の底部５１に図示例のように一体成形すると部品点数の増大、コスト上昇の原因にはならない。また、迂回路８１の外装ケース５側の隙間Ｓ１よりも内容器３側の間隔Ｓ２の方が小さくなるようにしている。これにより、ファン１４の吸引力は狭い間隔Ｓ２を通じて内容器３の外回りの上部にまで強力に及んで、下部の吸気口６０からの吸引外気５３を広い間隔Ｓ１を通じて抵抗少なく内容器３まわりの上部にまで吸引した後、狭い間隔Ｓ２内に引き込み、内容器３の外面を増速させながらファン１４まで吸引することができ、内容器３および内容液の冷却効率をさらに高められる。また、吸引外気５３が内容器３および外装ケース５間が広くなる前部にまで及んで却って冷却に貢献できなくなるようなことを防止するために、隔壁８２は内容器３の前部を除く外回りに設ける一方、その左右前端に邪魔壁部８２ａを設けて後部からの吸引外気５３を受け止め、それ以上前部にまわらないようにするのが好適である。
【００４６】
図９に示す例、図１０に示す例は、いずれも、器体１の肩部まわりにも吸気口６０を有している。これにより、器体１の肩部まわりは内容器３に対しより高い位置にあって、そこに設けた吸気口６０からの吸引外気５３は内容器３に対しより高い部分から接触して接触域がさらに増大する。従って、吸引外気５３を内容器３の最も高い部分からも接触させる分冷却効率をさらに向上させられる。
【００４７】
特に、肩部の吸気口６０はいずれの場合も、器体１の蓋１７をヒンジピン１６により開閉できるように枢支する軸受部８３の下部内側、また、器体１の前部の突出部３７の基部下といった目立たず、かつ上方から水気が及びにくい箇所に設けて、外観を損なわずかつ水の侵入を防止しやすい位置の吸気口６０によって冷却効果がさらに高まる。
【００４８】
図１０に示す例では、特に、器体１の底部５１からファン１４よりも上に立ち上がる隔壁９１を設けてある。これにより、器体１の下部に設けた吸気口６０からの吸引外気５３がそのままファン１４へバイパスして吸引され、内容器３はもとよりその下のヒータ１１にも接触せずに、つまり内容液の冷却に何ら貢献せずに排気流５４とされてしまうようなことを防止する。同時に、ファン１４からの吸引が肩部の吸気口６０に及ぶのを前記のようなバイパスによって損なわれるのを防止し、肩部の吸気口６０からの吸気とその吸引外気による冷却作用とを確保することができる。
【産業上の利用可能性】
【００４９】
本発明は電気ポットに実用でき、沸騰後の内容液を所定の保温温度まで早期に降温させられる。
【図面の簡単な説明】
【００５０】
【図１】本発明の実施の形態に係る電気ポットの１つの例を示す全体の断面図と制御回路のブロック図である。
【図２】図１の電気ポットの、外装ケースとその底部構造を示す断面して見た斜視図である。
【図３】図１の電気ポットの、外装ケースの外観斜視図である。
【図４】図１の電気ポットの、外装ケースの底部を上向きにして見た外観斜視図である。
【図５】図１の電気ポットの、内容器とその底部を示す断面して見た斜視図である。
【図６】本発明の実施の形態に係る別の電気ポットを示す断面図である。
【図７】図６の電気ポットの肩部材を取り除いて見た内部平面図である。
【図８】図６の電気ポットの外装ケースとその底部構造を示す断面して見た斜視図である。
【図９】本発明の実施の形態に係る他の電気ポットを示す要部の断面図である。
【図１０】本発明の実施の形態に係る今１つの電気ポットを示す要部の断面図である。
【符号の説明】
【００５１】
１  器体
３  内容器
５  外装ケース
１１  ヒータ
１４  ファン
１５  肩部材
１６  ヒンジピン
１７  蓋
３６  温度センサ
３８  操作パネル
４０  制御基板
４６  マイクロコンピュータ
５０、５１  底部
５３  吸引外気
５４  排気流
５５  定置面
５６  吹き出し部
６０  吸気口
６１  凹部
６２  凸部
６３  排気口
６４  吹き出し口
８１  迂回路
８２、９１  隔壁
【図１】
2005319112.tif 000003
【図２】
2005319112.tif 000004
【図３】
2005319112.tif 000005
【図４】
2005319112.tif 000006
【図５】
2005319112.tif 000007
【図６】
2005319112.tif 000008
【図７】
2005319112.tif 000009
【図８】
2005319112.tif 000010
【図９】
2005319112.tif 000011
【図１０】
2005319112.tif 000012